【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
ダイスのダイス孔の内周面を磨き加工するダイス孔磨き加工装置であって、
前記ダイス孔を中心に前記ダイスを回転させるダイス用回転駆動手段と、
前記ダイス用回転駆動手段によって前記ダイスが回転されることにより生じる前記ダイスの前面の傾動に追従して揺動可能であるとともに、前記ダイスの前面を押さえる前押さえ体と、
前記前押さえ体に該前押さえ体に対する姿勢角度が固定されて取り付けられるとともに、前記ダイス孔の内周面を磨き加工する磨き治具と、を備えていることを特徴とするダイス孔磨き加工装置。
【請求項２】
前記磨き治具の外周面にその全周に亘って磨き材が設けられており、
前記磨き治具を回転させる磨き治具用回転駆動手段を備えている請求項１記載のダイス孔磨き加工装置。
【請求項３】
前記磨き治具の前記ダイス孔内周面への押圧力が一定になるように構成されている請求項１又は２記載のダイス孔磨き加工装置。
【請求項４】
前記前押さえ体の押さえ面に、その中心部を中心に周方向に互いに離間して少なくとも３個の回転自在な押さえボール又は押さえローラが配設されている請求項１〜３のいずれかに記載のダイス孔磨き加工装置。
【請求項５】
前記ダイス用回転駆動手段によって前記ダイスが回転されることにより生じる前記ダイスの後面の傾動に追従して揺動可能であるとともに、前記ダイスの後面を押さえる後押さえ体を備えている請求項１〜４のいずれかに記載のダイス孔磨き加工装置。
【請求項６】
前記後押さえ体の押さえ面に、その中心部を中心に周方向に互いに離間して少なくとも３個の回転自在な押さえボール又は押さえローラが配設されている請求項５記載のダイス孔磨き加工装置。
【請求項７】
前記ダイス用回転駆動手段は、前記ダイス孔を横向きにした状態で前記ダイスを回転させるものであり、
前記磨き治具は、前記ダイス孔の内周面における最下部以外の部分に押圧されるものとなされている請求項１〜６のいずれかに記載のダイス孔磨き加工装置。
【請求項８】
前記磨き治具は、前記ダイス孔の内周面における最下部に対して前記ダイスの回転方向の上流側の部分に押圧されるものとなされている請求項７記載のダイス孔磨き加工装置。
【請求項９】
前記磨き治具の外周面にその全周に亘って磨き材が設けられており、
前記磨き治具を回転させる磨き治具用回転駆動手段を備えており、
前記磨き治具用回転駆動手段は、前記磨き治具の回転方向が前記ダイスの回転方向と同じ方向になるように前記磨き治具を回転させるものである請求項８記載のダイス孔磨き加工装置。
【請求項１０】
前記磨き治具用回転駆動手段は、前記磨き治具と前記ダイス孔の内周面との当接部から下向きに磨き屑が吐き出されるように前記磨き治具を回転させるものである請求項９記載のダイス孔磨き加工装置。
【請求項１１】
前記磨き治具用回転駆動手段は、前記磨き治具の外周面の周速度が前記ダイス孔の内周面の周速度よりも小さくなるように前記磨き治具を回転させるものである請求項１０記載のダイス孔磨き加工装置。
【請求項１２】
前記ダイス用回転駆動手段は、前記ダイスの外周面をダイスの下側から支持した状態で前記ダイスを回転させる少なくとも１個の支持駆動ローラを備えている請求項７〜１１のいずれかに記載のダイス孔磨き加工装置。
【請求項１３】
ダイスのダイス孔の内周面を磨き加工するダイス孔磨き加工方法であって、
前記ダイス孔を中心に前記ダイスを回転させるとともに前記ダイスの前面の傾動に追従して揺動可能な前押さえ体で前記ダイスの前面を押さえた状態で、前記前押さえ体に該前押さえ体に対する姿勢角度が固定されて取り付けられた磨き治具により前記ダイス孔の内周面を磨き加工することを特徴とするダイス孔磨き加工方法。
【請求項１４】
前記磨き治具の外周面にその全周に亘って磨き材が設けられており、
前記磨き治具を回転させて磨き加工を行う請求項１３記載のダイス孔磨き加工方法。
【請求項１５】
前記磨き治具の前記ダイス孔内周面への押圧力を一定にして、磨き加工を行う請求項１３又は１４記載のダイス孔磨き加工方法。
【請求項１６】
前記前押さえ体の押さえ面にその中心部を中心に周方向に互いに離間して配設された少なくとも３個の回転自在な押さえボール又は押さえローラで、前記ダイスの前面を押さえた状態で、磨き加工を行う請求項１３〜１５のいずれかに記載のダイス孔磨き加工方法。
【請求項１７】
前記ダイスの後面の傾動に追従して揺動可能な後押さえ体で前記ダイスの後面を押さえた状態で、磨き加工を行う請求項１３〜１６のいずれかに記載のダイス孔磨き加工方法。
【請求項１８】
前記後押さえ体の押さえ面にその中心部を中心に周方向に互いに離間して配設された少なくとも３個の回転自在な押さえボール又は押さえローラで、前記ダイスの後面を押さえた状態で、磨き加工を行う請求項１７記載のダイス孔磨き加工方法。
【請求項１９】
前記ダイス孔を横向きにして前記ダイスを回転させた状態で、前記磨き治具を前記ダイス孔の内周面における最下部以外の部分に押圧して、磨き加工を行う請求項１３〜１８のいずれかに記載のダイス孔磨き加工方法。
【請求項２０】
前記磨き治具を前記ダイス孔の内周面における最下部に対して前記ダイスの回転方向の上流側の部分に押圧することにより、磨き加工を行う請求項１９記載のダイス孔磨き加工方法。
【請求項２１】
前記磨き治具の外周面にその全周に亘って磨き材が設けられており、
前記ダイスの回転方向と同じ回転方向に前記磨き治具を回転させて、磨き加工を行う請求項２０記載のダイス孔磨き加工方法。
【請求項２２】
前記磨き治具と前記ダイス孔の内周面との当接部から下向きに磨き屑が吐き出されるように前記磨き治具を回転させる請求項２１記載のダイス孔磨き加工方法。
【請求項２３】
前記磨き治具の外周面の周速度が前記ダイス孔の内周面の周速度よりも小さくなるように前記磨き治具を回転させる請求項２２記載のダイス孔磨き加工方法。
【請求項２４】
前記ダイスの外周面をダイスの下側から少なくとも１個の支持駆動ローラで支持した状態で、前記支持駆動ローラを回転駆動させることによって前記ダイスを回転させる請求項１９〜２３のいずれかに記載のダイス孔磨き加工方法。
【手続補正２】
【補正対象書類名】明細書
【補正対象項目名】００１３
【補正方法】変更
【補正の内容】
【００１３】
［５］  前記ダイス用回転駆動手段によって前記ダイスが回転されることにより生じる前記ダイスの後面の傾動に追従して揺動可能であるとともに、前記ダイスの後面を押さえる後押さえ体を備えている前項１〜４のいずれかに記載のダイス孔磨き加工装置。
【手続補正３】
【補正対象書類名】明細書
【補正対象項目名】０１０２
【補正方法】変更
【補正の内容】
【０１０２】
１：押出ダイス（ダイス）
２：ベアリング孔（ダイス孔）
２ａ：ベアリング孔の内周面（ダイス孔の内周面）
２ｚ：最下部
４：ダイスの前面
５：ダイスの後面
６：ダイスの外周面
９：磨き屑
１０：ダイス用回転駆動手段
１１：支持駆動ローラ
２０：前押さえ体
２１：押さえ面
２２：押さえボール
２５：後押さえ体
２６：押さえ面
２７：押さえボール
３０：磨き治具
３０ａ：磨き治具の外周面
３５：磨き治具用回転駆動手段
４０：ベアリング孔磨き加工装置（ダイス孔磨き加工装置）